(57)【要約】      （修正有）【課題】浴槽や浴室壁の設置時における浴槽受けパンの損傷を防止し、また、洗い場床パネルと浴槽受けパンの継ぎ目の防水性を長期間確保可能とする浴室床構造を提供する。【解決手段】浴室の洗い場床パネル３０に立ち上り部３５と、浴槽の底部に浴槽受けパン２に側壁２２を設け、その側壁２２を立ち上り部３５に対面、立ち上り部３５を側壁２２より上方へ突出させ、立ち上り部３５と側壁２２との間に段差１ｄを形成する構成とした。【選択図】図５
2019094762.tif 000002
【特許請求の範囲】
【請求項１】
洗い場と浴槽の間に立ち上り部が形成された浴室床構造であって、
前記立ち上り部を有して洗い場に設けられた洗い場床パネルと、前記立ち上り部に面する側壁を有して浴槽の底部に設けられる浴槽受けパンとを備え、
前記立ち上り部が前記側壁より上方へ突出されていることを特徴とする浴室床構造。
【請求項２】
前記側壁の上面と前記立ち上り部の浴槽を向く側面とで作る隅角部に水密材が設けられていることを特徴とする請求項１に記載の浴室床構造。
【請求項３】
前記洗い場床パネルが、前記立ち上り部を有する発泡樹脂製のパネル本体と、前記パネル本体を囲む金属製の殻体を含み、前記殻体が、前記立ち上り部に被さるカバー部を含むことを特徴とする請求項１又は２に記載の浴室床構造。
【請求項４】
前記浴槽受けパンが、発泡樹脂からなる受けパン本体と、前記受けパン本体の上面を覆う樹脂フィルムからなる表層とを含むことを特徴とする請求項１〜３の何れか１項に記載の浴室床構造。
【発明の詳細な説明】
【技術分野】
【０００１】
本発明は、洗い場と浴槽を含む浴室に関し、特に浴室床パンが洗い場床パネルと浴槽受けパンに分割された浴室床構造に関する。
【背景技術】
【０００２】
浴室には洗い場と浴槽が設けられている。例えば特許文献１における浴室床構造は、洗い場床パネルと、浴槽受けパンとに分割されている。洗い場床パネルが洗い場に設置されている。浴槽受けパンは浴槽の底部に設置され、浴槽を受けている。洗い場床パネルの端面が浴槽受けパンに接合され、かつ防水コーキングが施されている。
特許文献２の洗い場床パネルには、浴槽側の端部に立ち上り部（土手部）が形成されている。
【先行技術文献】
【特許文献】
【０００３】
【特許文献１】特開２００７−２７８００６号公報
【特許文献２】特開２０１３−２０９８５３号公報
【発明の概要】
【発明が解決しようとする課題】
【０００４】
立ち上り部（土手部）は、洗い場の使用水が浴槽側へ流れるのを堰き止めるためのものである。該立ち上り部より浴槽受けパンの側壁が上へ突出されていると、建築躯体への浴室施工の際、浴槽受けパンの設置後に搬入した浴槽や浴室壁を浴槽受けパンの側壁にぶつけやすく、前記側壁が損傷するおそれがある。また、洗い場床パネルと浴槽受けパンとの継ぎ目の防水処理部が洗い場に面していると、ユーザーが清掃などの際に前記防水処理部の水密材に触れてしまい、水密材の剥がれ、ちぎれ、めくれ等が起きるおそれがある。
本発明は、かかる事情に鑑み、浴槽や浴室壁の設置時における浴槽受けパンの損傷を防止することを第１の課題とする。また、洗い場床パネルと浴槽受けパンの継ぎ目の防水性を長期間確保可能とすることを第２の課題とする。
【課題を解決するための手段】
【０００５】
前記課題を解決するために、本発明は、洗い場と浴槽の間に立ち上り部が形成された浴室床構造であって、
前記立ち上り部を有して洗い場に設けられた洗い場床パネルと、前記立ち上り部に面する側壁を有して浴槽の底部に設けられる浴槽受けパンとを備え、
前記立ち上り部が前記側壁より上方へ突出されていることを特徴とする。
当該浴室床構造によれば、浴槽受けパンの側壁が立ち上り部より低くなっているため、浴槽や浴室壁の設置施工時に、これら浴槽や浴室壁が浴槽受けパンの側壁にぶつかりにくくなり、側壁の損傷を防止できる。
【０００６】
前記側壁の上面と前記立ち上り部の浴槽を向く側面とで作る隅角部に水密材が設けられていることが好ましい。
当該浴室床構造によれば、洗い場床パネルと浴槽受けパンの継ぎ目となる隅角部が、立ち上り部によって洗い場側から隠れる。ひいては、該隅角部の水密材が洗い場側から隠れる。したがって、ユーザーが清掃などの際に水密材に触れるのを防止でき、水密材の剥がれ、ちぎれ、めくれ、その他の損傷、劣化を抑制できる。
【０００７】
前記洗い場床パネルが、前記立ち上り部を有する発泡樹脂製のパネル本体と、前記パネル本体を囲む金属製の殻体を含み、前記殻体が、前記立ち上り部に被さるカバー部を含むことが好ましい。
パネル本体を発泡樹脂製とすることによって、洗い場床パネルを容易かつ安価に製造できる。かつ、パネル本体を金属製の殻体で囲むことによって洗い場床パネルの強度を確保できる。更には、金属製のカバー部によって立ち上り部を保護することができ、浴槽や浴室壁の設置施工時やユーザーの浴室使用時に立ち上り部に負荷がかかっても、立ち上り部が損傷するのを防止できる。
【０００８】
前記浴槽受けパンが、発泡樹脂からなる受けパン本体と、前記受けパン本体の上面を覆う積層樹脂フィルムからなる表層とを含むことが好ましい。
受けパン本体を発泡樹脂製とすることによって、浴槽受けパンを容易かつ安価に製造できる。更には浴槽受けパンを軽量化できる。したがって、浴槽受けパンの設置作業が楽になる。かつ表層によって受けパン本体を補強でき、浴槽受けパンの少なくとも表面（上面）の強度を確保することができるから、受けパン本体の発泡倍率を高くすることができる。受けパン本体が発泡樹脂製であっても、前述したように側壁を立ち上り部より低くすることによって損傷を防止できる。
【発明の効果】
【０００９】
本発明によれば、浴槽や浴室壁の設置時における浴槽受けパンの損傷を防止できる。
【図面の簡単な説明】
【００１０】
【図１】図１は、本発明の第１実施形態に係る浴室を示す、図２のＩ−Ｉ線に沿う側面断面図である。
【図２】図２は、前記浴室の床ユニット（浴室床構造）を示す平面図である。
【図３】図３は、前記浴室床ユニットの斜視図である。
【図４】図４は、前記浴室床ユニットの洗い場床パネルの分解斜視図である。
【図５】図５は、図２のＶ−Ｖ線に沿う、浴槽受けパンと洗い場床パネルの接続部の拡大側面断面図である。
【図６】図６は、図３の円部ＶＩにおけるカバー部材を実線で示し、浴槽受けパンを二点鎖線にて示す斜視図である。
【図７】図７は、浴槽受けパンを設置する際の前記接続部の拡大側面断面図である。
【発明を実施するための形態】
【００１１】
以下、本発明の一実施形態を図面にしたがって説明する。
図１及び図２に示すように、浴室１は、浴槽１ａと、洗い場１ｂを備えている。浴槽１ａと洗い場１ｂが、幅方向（図２の上下方向）と直交する前後方向（図２の左右方向）に並んで配置されている。浴室１の底部に浴室床ユニット１ｃ（浴室床構造）が配置されている。浴室床ユニット１ｃは、浴槽受けパン２と、洗い場床パネル３とに分割されている。浴槽１ａの底部に浴槽受けパン２が設けられている。洗い場１ｂの底部に、洗い場床パネル３が設けられている。
【００１２】
図５に示すように、浴槽受けパン２は、受けパン本体２０と、表層２１を備えている。受けパン本体２０は、発泡ポリスチレン（ＥＰＳ）によって構成されている。
なお、受けパン本体２０の材質は、ＥＰＳに限られず、発泡ポリプロピレン、発泡ポリエチレン、その他の熱可塑性樹脂であってもよい。熱可塑性樹脂に限られず、ウレタンやフェノールなど熱硬化性樹脂であってもよい。
【００１３】
受けパン本体２０の上面の全域が表層２１で覆われている。表層２１は、浴槽受けパン２の最外縁まで達している。詳細な図示は省略するが、表層２１は、耐薬品性の表面層、強度を担う中間層、受けパン本体２０との接合層などを含む積層樹脂フィルムによって構成されている。前記表面層の材質としては、例えば無延伸ポリスチレン（ＣＰＳ）、無延伸プロピレン（ＣＰＰ）、アクリロニトリル／ブタジエン／スチレン（ＡＢＳ）その他の耐薬品性樹脂が挙げられる。前記中間層の材質としては、例えば耐衝撃性ポリスチレン（ＨＩＰＳ）、汎用ポリスチレン（ＧＰＰＳ）その他の樹脂が挙げられる。前記接合層の材質としては、発泡ポリスチレンその他の受けパン本体２０と同系統の樹脂が挙げられる。
【００１４】
図１に示すように、浴槽受けパン２の外周部には側壁が設けられている。図５に示すように、そのうち洗い場側の側壁２２の底面には、切れ込み状ないしはスリット状の係止溝２３が形成されている。図６に示すように、側壁２２の上面における幅方向（洗い場１ｂと浴槽１ａを結ぶ方向と直交する方向）のちょうど中央部には、浴槽側センター表示２７が形成されている。
【００１５】
浴槽受けパン２は、例えば次のようにして作製される。
まず、表層２１を真空成形する。該表層２１を発泡金型の一方の型面にセットし、受けパン本体２０を発泡成形する。該発泡成形の過程で、表層２１の前記接合層と受けパン本体２０とが熱溶着される。したがって、別途の貼合せ工程を省略できる。
なお、受けパン本体２０と表層２１を接着剤によって貼り合わせることにしてもよい。
【００１６】
浴槽受けパン２によれば、受けパン本体２０を発泡樹脂製とすることによって安価に製造できる。更には浴槽受けパン２を軽量化できる。かつ表層２１によって受けパン本体２０を補強することで、浴槽受けパン２の少なくとも表面（上面）の強度を確保することができる。したがって、受けパン本体２０の発泡倍率を高くすることができる。
【００１７】
図１及び図２に示すように、浴槽受けパン２の底部には支持架台４０が設けられている。支持架台４０上に浴槽受けパン２が載置されている。
支持架台４０は、複数の支持脚４１と、架台フレーム４２を含む。支持脚４１が建築躯体の床面に鉛直に立設されている。複数の支持脚４１の上端部に架台フレーム４２が水平に支持されている。架台フレーム４２は、前後方向へ延びる縦梁４２ａと、幅方向へ延びる横梁４２ｂを含む。縦梁４２ａの洗い場側の端部は、洗い場床パネル３の底部へ向けて延びている。洗い場床パネル３の後記底板部３３ａには吊柱４３が垂設されている。縦梁４２ａひいては架台フレーム４２が、吊柱４３の下端部に好ましくは回転可能（変位可能）に連結されている。
【００１８】
図２及び図３に示すように、洗い場床パネル３は、パネル本体３０と、殻体３１と、表層シート３４を備え、平面視で長方形状（四角形状）になっている。
【００１９】
パネル本体３０は、発泡ポリスチレン（ＥＰＳ）等の発泡樹脂によって長方形（四角形）の板状に成形されている。前記ＥＰＳの発泡倍率は、好ましくは１５倍〜３０倍程度であり、より好ましくは２０倍程度である。なお、パネル本体３０の材質は、ＥＰＳに限られず、発泡ポリプロピレン、発泡ポリエチレン等であってもよい。
【００２０】
図１及び図４に示すように、パネル本体３０ひいては洗い場床パネル３の上面には排水口３ｃへ向かって下がり勾配が付けられている。排水口３ｃには、排水ベース部材３６ａと排水縁部材３６ｂからなる排水口部材３６が設けられている。
【００２１】
図３及び図４に示すように、パネル本体３０ひいては洗い場床パネル３における浴槽側を除く３つの縁部には、枠部材３７が設けられている。図１に示すように、枠部材３７に浴室壁１ｗ又は浴室扉枠１ｆの下端部が嵌められている。
【００２２】
図５に示すように、パネル本体３０ひいては洗い場床パネル３における浴槽側（図５において左側）を向く端部には、立ち上り部３５（土手部）が一体形成されている。言い換えると、洗い場１ｂと浴槽１ａの間に立ち上り部３５が形成されている。立ち上り部３５は、パネル本体３０と同体の発泡樹脂によって構成されている。
図２及び図５に示すように、立ち上り部３５は、洗い場床パネル３の当該立ち上り部３５を除く上面より上方へ突出されるとともに洗い場床パネル３の幅方向（図２において上下）に沿って延びている。
【００２３】
図５に示すように、前記浴槽受けパン２における洗い場１ｂを向く側壁２２が、立ち上り部３５と対面している。立ち上り部３５は、側壁２２（浴槽受け端部）よりも上方へ突出されている。したがって、立ち上り部３５と側壁２２との間に段差１ｄが形成されている。側壁２２の上面と立ち上り部３５の浴槽を向く側面とによって、隅角部１ｇが形成されている。
【００２４】
前記パネル本体３０は金属製の殻体３１によって囲まれている。
図４に示すように、殻体３１は、上下の補強パネル部材３２，３３、を含む。これら補強パネル部材３２，３３は、鋼板などの金属板によって構成されている。下側補強パネル部材３３は、底板部３３ａと、側板部３３ｂを有している。底板部３３ａが、パネル本体３０の底面に被さっている。底板部３３ａの４つの端部から側板部３３ｂがほぼ直角に立ち上がり、パネル本体３０の４つの端面にそれぞれ被さっている。隣接する側板部３３ｂどうしは縁切りスリット３３ｃによって縁切りされている。
上側補強パネル部材３２が、パネル本体３０における立ち上り部３５を除く上面に被さっている。
パネル本体３０と殻体３１とは、例えば熱硬化性の接着剤（図示省略）によって接着されている。
【００２５】
図４に示すように、上側補強パネル部材３２の上面には表層シート３４が被さっている。表層シート３４は、軟質塩化ビニル樹脂（ＰＶＣ）によって構成されているが、これに限られずシリコンラバー等によって構成されていてもよい。表層シート３４は、防水性を有している。更に、表層シート３４によって、洗い場床パネル３の温熱感性及びクッション性が確保されている。
図５に示すように、表層シート３４における浴槽側の端部は、立ち上り部３５に沿うように上方へ曲げられ、立ち上り部３５における洗い場を向く側面に被さっている。
表層シート３４は、例えば両面粘着テープ（図示省略）を介して上側補強パネル部材３２及び立ち上り部３５に貼り付けられている。
【００２６】
図５に示すように、さらに殻体３１は、カバー部材５０（カバー部）を構成要素として含む。図５及び図６に示すように、カバー部材５０は、３つの被さり部５１，５２，５３を有して断面コ字状に形成され、かつ洗い場床パネル３の幅方向に沿って延びている。
カバー部材５０は、下側補強パネル部材３３とは別体のアルミ押出成形材（金属材）によって構成され、受けパン本体２０より硬質である。
【００２７】
図５に示すように、カバー部材５０の側面被さり部５２の下側部分及び底面被さり部５１が、下側補強パネル部材３３とビス止め等によって接合されている。側面被さり部５２の上側部分が、立ち上り部３５の浴槽１ａを向く側面に被せられている。上面被さり部５３が、立ち上り部３５の上面に被せられている。これによって、立ち上り部３５が補強されている。カバー部材５０は、立ち上り部３５と同様に、浴槽受けパン２の側壁２２よりも高く突出されている。
【００２８】
図５に示すように、カバー部材５０の側面被さり部５２には、断面Ｌ字状の係止部５４が設けられている。係止部５４の先端部には、斜め下へ突出する返し突起５４ｆが形成されている。
【００２９】
図５に示すように、カバー部材５０が側壁２２と接合されることによって、洗い場床パネル３と浴槽受けパン２とが接合されている。詳しくは、側壁２２が上方から係止部５４に被さり、係止溝２３に係止部５４が嵌め込まれて係止されている。返し突起５４ｆが、発泡樹脂製の受けパン本体２０に喰い込んでいる。
【００３０】
図５及び図６に示すように、側面被さり部５２の外側面（図５において左側面）には、高さ標示５６が形成されている。高さ標示５６は、カバー部材５０の上面における長手方向（洗い場床パネル３の幅方向）へ真っ直ぐに延びる凸状になっている。標示５６の高さは、浴槽受けパン２の上面の正規の高さとちょうど一致している。
【００３１】
図３及び図６に示すように、カバー部材５０の上面における長手方向（洗い場床パネル３の幅方向）のちょうど中央部には、洗い場側センター表示５７が形成されている。
【００３２】
図５に示すように、カバー部材５０ひいては洗い場床パネル３と浴槽受けパン２との間の継ぎ目は、発泡エチレンプロピレンゴム（ＥＰＤＭ）、発泡ポリエチレン（ＰＥ）などの水密材６１及びシーリング材６２などの水密材によって防水されている。水密材６１は、浴槽受けパン本体２０の側面に貼り付けられ、かつ側壁２２の端面と側面被さり部５２との間に挟まれている。
シーリング材６２は、シリコーンにて構成され、側壁２２の上面と側面被さり部５２とで作る隅角部１ｇに塗布されている。
【００３３】
洗い場床パネル３は、例えば次のようにして作製される。
洗い場床パネル３の構成部材をそれぞれ作製する。
下側補強パネル部材３３又はパネル本体３０に熱硬化性接着剤を塗布し、下側補強パネル部材３３上にパネル本体３０を載せる。
次いで、パネル本体３０又は上側補強パネル部材３２に熱硬化性接着剤を塗布し、パネル本体３０上に上側補強パネル部材３２を被せる。
これらパネル積層体３０，３２，３３を真空圧空熱プレス機で圧力を加えながら加熱することによって、前記接着剤を硬化させる。
パネル本体３０の立ち上り部３５にはカバー部材５０を被せ、下側補強パネル部材３３にビス止めする。
排水口３ｃには排水口部材３６を設ける。
パネル本体３０の浴槽側を除く３つの縁部には、枠部材３７を設ける。
更に、表層シート３４を上側補強パネル部材３２に貼り付ける。表層シート３４の浴槽側部分は、立ち上り部３５の洗い場側面に貼り付ける。
洗い場床パネル３よれば、発泡樹脂製のパネル本体３０を殻体３１で囲んで補強できる。かつ洗い場床パネル３を安価に作製できる。
【００３４】
建築躯体の浴室施工現場において浴室床構造１ｃを組み立てる際は、先ず洗い場床パネル３を前記現場に搬入して洗い場１ｂに設置する。
浴槽部分の底部には支持架台４０を設置する。該支持架台４０の縦梁４２ａを、吊柱４３を介して洗い場床パネル３の底板部３３ａに連結する。そして、支持架台４０を洗い場床パネル３に合わせてレベル出しする。具体的には、複数の支持脚４１を互いに高さ調節することによって、架台フレーム４２を水平かつ規定高さにセットする。
【００３５】
その後、浴槽受けパン２を浴室施工現場に搬入し、該浴槽受けパン２を支持架台４０上に載せる。このとき、洗い場側センター表示５７と浴槽側センター表示２７が一致するように浴槽受けパン２を幅方向に位置調節する（図６）。これによって、浴槽受けパン２の幅方向の位置出しを簡単かつ正確に行なうことができる。
さらに、図７に示すように、側壁２２の係止溝２３に係止部５４を嵌め込んで係止させる。これによって、浴槽受けパン２を洗い場床パネル３に対して前後方向に容易に位置出しできる。かつ、返し突起５４ｆが浴槽受けパン２に喰い込む。これによって、浴槽受けパン２の浮きを阻止できる。また、高さ標示５６が見えるか否かによって、浴槽受けパン２を規定の上下方向位置まで降ろし得たかを確認でき、更には係止溝２３に係止部５４を規定の嵌合深さまで嵌合し得たかを確認できる。
このようにして、浴槽受けパン２を前後、左右、上下に正確に位置決めして設置できる。狭い浴室施工現場で洗い場床パネル３から身を乗り出して設置作業を行なう場合であっても、浴槽受けパン２を容易かつ正確に設置することができる。
【００３６】
次に、側壁２２の上面とカバー部材５０の隅角部１ｇにシーリング材６２を塗布する。これによって、浴槽受けパン２と洗い場床パネル３との間を水密材６１とシーリング材６２とによって二重に防水できる。
【００３７】
続いて、浴槽受けパン２の上に浴槽１ａを設置する。また、浴室壁１ｗや浴室扉枠１ｆを設置する。
浴槽受けパン２の側壁２２が立ち上り部３５よりも低くなるように段差１ｄが形成されているため、浴槽１ａの設置時や浴室壁１ｗの設置時に、これら浴槽１ａや浴室壁１ｗが側壁２２とぶつかって、側壁２２が損傷するのを防止できる。
立ち上り部３５は金属製のカバー部材５０によって覆うことで強度を確保できる。浴槽１ａや浴室壁１ｗの設置施工時やユーザーの浴室使用時に立ち上り部３５に負荷がかかっても、立ち上り部３５が損傷するのを防止できる。
【００３８】
浴室床構造１ｃによれば、立ち上り部３５によって、洗い場１ｂの使用水が浴槽１ａ側へ流れるのを堰き止めることができる。
加えて、立ち上り部３５を側壁２２より高くすることによって、隅角部１ｇのシーリング材６２が洗い場１ｂ側からは隠れるようにすることができる。これによって、例えば清掃時などにユーザーがシーリング材６２に触れないようにできる。したがって、浴槽受けパン２と洗い場床パネル３との間の水密性を長期にわたって確保できる。
【００３９】
本発明は、前記実施形態に限定されるものではなく、その趣旨に反しない限りにおいて種々の改変をなすことができる。
例えば、カバー部材５０が、立ち上り部３５の洗い場を向く側面にも被さっていてもよい。カバー部材５０が、立ち上り部３５の浴槽を向く側面全体ではなくその一部、上面の一部または下面の一部に被さっていてもよい。カバー部材５０が、殻体３１の他の構成部材（補強パネル部材３２，３３）や枠部材３７に固定されていてもよいし、それらと一体であってもよい。
カバー部材５０が、ＡＢＳ（アクリロニトリル・ブタジエン・スチレン共重合体）等の熱可塑性樹脂によって形成されていてもよい。
上側補強パネル部材３２を省略してもよい。パネル本体３０に表層シート３４を直接貼り付けてもよい。
浴室はシャワー室をも含む。
【産業上の利用可能性】
【００４０】
本発明は、例えば住宅等の建物に納められる浴室床ユニットに適用可能である。
【符号の説明】
【００４１】
１      浴室
１ａ    浴槽
１ｂ    洗い場
１ｃ    浴室床構造
１ｄ    段差
１ｇ    隅角部
１ｗ    浴室壁 
２      浴槽受けパン
２０    受けパン本体
２１    表層
２２    側壁
３      洗い場床パネル
３０    パネル本体
３１    殻体
３５    立ち上り部（土手部）
５０    カバー部材（カバー部）
６２    シーリング材（水密材）
【図１】
2019094762.tif 000003
【図２】
2019094762.tif 000004
【図３】
2019094762.tif 000005
【図４】
2019094762.tif 000006
【図５】
2019094762.tif 000007
【図６】
2019094762.tif 000008
【図７】
2019094762.tif 000009